(57)【要約】      （修正有）【課題】２段式駐輪装置を使用する女性や子供でも楽に安全に使用できる技術を開発する。【解決手段】加動装置２１は上段台車に自転車を乗せると振子３の重量加動により引金５を止金具２０から外れ第１段階の操作が始まり第２段階としてハンドル６を握ることによる引棒２の動きで突端２２が止金具２１より外れ自転車を乗せた台車が上部止金７に掛かり上に台車を固定する事ができるうえにまた下降時は自転車を乗せた下段用台車に取付けた車内蔵ボックス７よりレール１８上を左右に移動させ上段使用者の足場スペースを確保すると同時に安全な態勢で上段台車を降下させ下に定着させることができるうえに、急上昇や誤作動を防止することを可能にした。【選択図】図１
2011162170.tif 000002
【特許請求の範囲】
【請求項１】
１台のスペースに上下２段で駐輪を可能にする安全性と操作性を備えた駐輪装置である。
上段駐輪装置は直立する支柱を上下動する加動装置で自転車を乗せた台車（ラック）を上段に係留させる事ができる。
自転車を乗せる台車（ラック）が上昇と下降する時、切変わる加動装置により、直立する支柱レールを台車（ラック）と上昇加動装置に内蔵するベアリング車により上下移動する駐輪装置である。
【請求項２】
自転車を乗せる台車（ラック）とその台車（ラック）を上昇させる切変付加動装置の組合せで成りたっている駐輪装置で、主加動装置及び台車（ラック）の牽引は、コイルバネ又は定荷重バネ・ゼンマイ等の引きバネでおこない、主加動装置より台車（ラック）と自転車を足した重量と同等の牽引の力を有し、加動装置を切変えることにより台車（ラック）のみの時は、台車（ラック）と同じ荷重の力を有したのを特徴とし、自転車を乗せた台車（ラック）を下段に降下させる時、等荷重になり台車（ラック）を軽い力で下に引き下段に定着することができる駐輪装置である。
【請求項３】
台車（ラック）上昇の第１段階として、基本である台車（ラック）に自転車を乗せた自重で振子方式の加動装置により、台車（ラック）の止め金具が外され台車（ラック）上昇の準備が始まり、さらに台車（ラック）上昇の第２段階として、台車に付属しているハンドルを握ることにより解錠され、２連の動きで上昇させ、上部位置に係留させ、台車（ラック）と上昇加動装置が合体し連動体となることにより押し上げる装置として作動することを特徴とする駐輪装置である。
【請求項４】
ハンドルは押ばねの動作で掛け金具がロックされ、又はロックが解除されて連動し複合体となり、その複合体の連動する自転車の重量によるロック開閉と切変え装置を開閉して手動により引き下降し下降位置に定着させ、自転車を乗せ又は降ろす複合体の１つの操作である。
複合体のもう１つは上昇させ定着させる動きの操作であり、その２連の操作を特徴とする駐輪装置である。
【請求項５】
駐輪装置の直立支柱に凸状のストッパー受金具を取付け、そのストッパー受金具に引っ掛ることにより台車（ラック）と上昇可動装置の合体した複合体を固定できるストッパーを備えたことを特徴とする安全性の高い駐輪装置である。
【請求項６】
上下２段の駐輪装置のうち、下段駐輪装置は自転車を乗せる台車（ラック）に自転車を乗せ、床面に設置したレール上を台車（ラック）が左右移動することにより、上段の台車（ラック）を降下させるスペースを確保することができる駐輪装置である。
【請求項７】
下段駐輪装置の台車（ラック）下に取付けた箱型は、ベアリング車等を取付けることにより、数台の台車（ラック）を床面に設置固定した車ガイド付レール上を左右スライド移動することのでき、操作性を高めた駐輪装置である。
【発明の詳細な説明】
【技術分野】
【０００１】  本発明は、駐輪機の装置に関する分野の操作、手段の開発である。
【背景技術】
【０００２】  駐輪機を使用する女性や子供でも楽に安全に使用できる技術を開発した。
自転車を乗せる台車（自転車を乗せるラック）は等荷重のバランスの取れた請求項２の記載の引きバネと直立する柱に加動装置に付帯したベアリング車で加動装置と台車（ラック）が軽く上下動する駐輪機の加動装置。
【発明の概要】
【発明が解決しようとする課題】
【０００３】  従来の技術に更に安全使用に対応する技術を取り入れたのを目的とするものである。【０００４】  本駐輪機の切変加動装置の操作方法は女性及び子供等が使用する為、特に安全装置を施し、２工程の操作で完全を期するのを目的としている。
【課題を解決するための手段】
【０００５】  台車（ラック）に自転車を乗せた重量の重みで加動装置の１段階の働きが始まり、更にハンドルを握ることで加動装置の２段階の働きをし、請求項２の引きバネにより順序良く安全に操作ができる効果を発揮するものである。【０００６】  安全に当初の目的でもある２段式の上段に上昇し係留することができる。【０００７】  下段に自転車を乗せた台車（ラック）を左右どちらかの方向へ下段レールにより移動することにより、上段の下に係留することができる２段駐輪機である。
【発明の効果】
【０００８】  本駐輪装置は自転車を台車（ラック）に乗せ、安全に水平上昇及び水平下降が目的である。
【図面の簡単な説明】
【０００９】
【図１】  本発明の２段式駐輪機の実施形態を示す側面図
【図２】  本発明の駐輪機に自転車を乗せる準備を示す側面図
【図３】  本発明の駐輪機に自転車を乗せ固定した状態の側面図
【図４】  本発明の基本である２段式の上段に上昇し自転車を定着した側面図
【図５】  加動装置の切変え装置が自転車を乗せる前の静動の断面図
【図６】  台車（ラック）に自転車を乗せ重量で振子方式より１段階の操作が始まり掛金から外れた断面図
【図７】  台車（ラック）の横、２段階の引金（ハンドル）の先端が掛かった静動の断面図
【図８】  台車（ラック）の横、２段階の引金（ハンドル）の引金がハンドルの握りにより先端がストッパーから外れた断面図
【図９】  台車（ラック）の横に付いたハンドルを握る前の平面図
【図１０】  台車（ラック）の横に付いたハンドルの側面図
【図１１】  台車（ラック）の横に付いたハンドルの先端にストッパーが掛かった状態の側面図
【図１２】  ２段階の操作でハンドルを握った状態の平面図
【図１３】  台車（ラック）の横に付いたハンドルを握った状態の側面図
【図１４】  ハンドルを握り、先端がストッパーより外れた状態の側面図
【発明を実施するための形態】
【００１０】  以下、本発明の実地の形態を図１〜図１４に基づいて説明する。
【００１１】  本発明は台車（ラック）に自転車を乗せ、台車（ラック）に付随している振子方式の開閉装置３の上下動で１段階の開閉掛金５より外れ、上昇の用意ができる駐輪装置。
【００１２】  台車（ラック）１横に付属しているハンドル引金２と６を握ることにより掛金２１より外れ、加動装置２３と２４が合体して上昇することを特徴とする駐輪装置。
【００１３】  加動装置に付帯している車１０で直立する柱１１をレールとして上下動する駐輪装置。
【００１４】  自転車が乗った台車（ラック）１が上昇して上部にあるハンドルのストッパー２２に掛金７Ａが自動的に固定される駐輪装置。
【００１５】  台車（ラック）１横に付属しているハンドル６と２を握ると下降体制に入り自転車が乗った台車（ラック）１が下降する駐輪装置。
【００１６】  下降した自転車を乗せた台車（ラック）１が下降点に達した時、ハンドル２より手を離すと自動的に台車（ラック）１が固定される安全性の高い駐輪装置。
【００１７】  自転車を取り出すと振子方式の押棒４が解かれて２段階の止め方式で各掛金８Ａと２０により完全に主加動装置２４と加動装置２３が固定される駐輪装置。
【００１８】  自転車を降ろした台車（ラック）１と加動装置２３は下段の左右にスライドする台車（ラック）と上下２段方式として使用するため、台車（ラック）１と加動装置２３のみを上昇させ、下段のスペースを作る駐輪装置。
【００１９】  本発明は自転車を乗せたときは主加動装置２４と台車加動装置２３は合体し作動する駐輪装置。
【００２０】  自転車を搭載されていない台車（ラック）１を下降させるときは等加重の請求項２の引きバネ９でバランスが保たれほとんど力が要らず軽い力で下降する発明の駐輪装置。
【００２１】  当駐輪機は上下２段式で下段の駐輪機は自転車を乗せる台車（ラック）１５〜１９に自転車を乗せ床面に設置したレール１８で左右に移動させ、上段の台車（ラック）１を下降させるスペースを確保する本発明の駐輪機である。
【００２２】  下段の台車（ラック）１５〜１９は台車（ラック）１５〜１９の下に取り付けたボックス１７に車を付けレール１８を左右に移動する駐輪装置。
【００２３】  レール１８は床面に設置固定し車のガイドを付けた駐輪装置の部品である。
【００２４】  下段の台車（ラック）１５〜１９に付けたボックス１７は車１６を付けてありレール１８と車ガイドを外れないような形状となっており、その形状のボックス１７によってスムーズに軽く左右スライドできる駐輪装置である。
【符号の説明】
【００２５】  １    台車（ラック）
２    ハンドルの引棒
３    自転車を乗せる重量加動の振子
４    振子に付いている押棒
５    押棒により掛金から外れ及び掛ける引金
６    ハンドル先端
７Ａ  上部落下ストッパー
７Ｂ  中間部落下ストッパー
８Ａ  下部上昇ストッパー
８Ｂ  下部補助上昇ストッパー
９    請求項２のコイルバネ又は定荷重バネ・ゼンマイ
１０    ベアリング車
１１    直立する柱レール
１２    台車（ラック）に自転車搭載時の自転車振り止め
１３    ハンドル
１４    直立する柱の固定ベース
１５    下段用台車（ラック）
１６    下段用台車（ラック）左右移動のための車
１７    下段用台車（ラック）左右移動のためのベリング車付きボックス
１８    符号１７のベリング車付きボックスが走るレール
１９    下段用台車（ラック）に自転車搭載時の自転車振り止め
２０    １段階の掛金
２１    ラックの加動装置
２２    主加動装置
２３    引きバネ
２４    車止め
２５    加動装置上昇安全ストッパー
【図１】
2011162170.tif 000003
【図２】
2011162170.tif 000004
【図３】
2011162170.tif 000005
【図４】
2011162170.tif 000006
【図５】
2011162170.tif 000007
【図６】
2011162170.tif 000008
【図７】
2011162170.tif 000009
【図８】
2011162170.tif 000010
【図９】
2011162170.tif 000011
【図１０】
2011162170.tif 000012
【図１１】
2011162170.tif 000013
【図１２】
2011162170.tif 000014
【図１３】
2011162170.tif 000015
【図１４】
2011162170.tif 000016